(57)【要約】【課題】全熱交換装置におけるモード（熱交換モード／バイパスモード）の切り替えと空調機における運転モード（冷房モード／送風モード）の切り替えとを連携させて、より大きな省エネ効果を得る。【解決手段】外気温度ｔｏｕｔが室内温度ｔｒｐｖよりも低く、外気温度ｔｏｕｔと室内温度ｔｒｐｖとの温度差Δｔ１が最低温度差以上となった場合、全熱交換装置２Ａのモードを熱交換モードからバイパスモードに切り替える。全熱交換装置２Ａのモードがバイパスモードに切り替えられている時、室内温度ｔｒｐｖと冷房設定温度ｔｒｓｐとの差を室内温度差Δｔ２として求め、この室内温度差Δｔ２が設定値緩和幅内にある場合には空調機１の運転モードを送風モードとする。【選択図】  図１
2017142003.tif 000002
【特許請求の範囲】
【請求項１】
制御対象空間からの排気との間で熱交換された外気を出力する熱交換モードと、制御対象空間からの排気との間で熱交換を行わずにそのまま外気を出力するバイパスモードとを備えた全熱交換装置と、
前記制御対象空間からの還気と前記全熱交換装置からの外気とを入力とし、前記制御対象空間へ調和された空気を供給する空調機と、
前記全熱交換装置における熱交換モードとバイパスモードとの切り替えと前記空調機における運転モードの切り替えとを連携して制御する空調制御装置とを備えた空調制御システムであって、
前記制御対象空間の温度を室内温度として検出する室内温度検出手段と、
前記全熱交換装置に入力される前の外気の温度を外気温度として検出する外気温度検出手段とを備え、
前記空調制御装置は、
前記室内温度に対して定められた冷房時の温度設定値を冷房設定温度として記憶する冷房設定温度記憶手段と、
前記外気温度が前記室内温度よりも低く、前記外気温度と前記室内温度との温度差が予め定められている最低温度差以上となった場合、前記全熱交換装置のモードを熱交換モードからバイパスモードに切り替える全熱交換装置モード切替手段と、
前記全熱交換装置のモードがバイパスモードに切り替えられている時、前記室内温度と前記冷房設定温度との差を室内温度差として求め、この室内温度差が許容温度差として定められている設定値緩和幅内にある場合には前記空調機の運転モードを送風モードとし、前記室内温度が前記冷房設定温度よりも高く前記室内温度差が前記設定値緩和幅を外れている場合には前記空調機の運転モードを冷房モードとする空調機運転モード切替手段と
を備えることを特徴とする空調制御システム。
【請求項２】
請求項１に記載された空調制御システムにおいて、
前記全熱交換装置モード切替手段は、
前記全熱交換装置のモードをバイパスモードに切り替えた後、前記外気温度と前記室内温度との温度差が前記最低温度差から第１の固定値を差し引いた温度差以下となった場合に、前記全熱交換装置のモードを熱交換モードに切り替える
ことを特徴とする空調制御システム。
【請求項３】
請求項１に記載された空調制御システムにおいて、
前記全熱交換装置モード切替手段は、
前記全熱交換装置のモードをバイパスモードに切り替えた後、前記外気温度が予め定められている最低外気温度以下となった場合に、前記全熱交換装置のモードを熱交換モードに切り替える
ことを特徴とする空調制御システム。
【請求項４】
請求項３に記載された空調制御システムにおいて、
前記全熱交換装置モード切替手段は、
前記全熱交換装置のモードを熱交換モードに切り替えた後、前記外気温度が前記最低外気温度に第２の固定値を足し合わせた温度以上となった場合に、前記全熱交換装置のモードをバイパスモードに切り替える
ことを特徴とする空調制御システム。
【請求項５】
請求項１に記載された空調制御システムにおいて、
前記設定値緩和幅は、
前記冷房設定温度を基準として前記室内温度の上昇方向に定められた室温上限温度差と前記室内温度の下降方向に定められた室温下限温度差とで構成され、
前記空調機運転モード切替手段は、
前記空調機の運転モードを冷房モードに切り替えた後、前記室内温度差が前記室温上限温度差から第３の固定値を差し引いた温度差以下となった場合に、前記空調機の運転モードを送風モードに切り替える
ことを特徴とする空調制御システム。
【請求項６】
制御対象空間からの排気との間で熱交換された外気を出力する熱交換モードと、制御対象空間からの排気との間で熱交換を行わずにそのまま外気を出力するバイパスモードとを備えた全熱交換装置と、前記制御対象空間からの還気と前記全熱交換装置からの外気とを入力とし、前記制御対象空間へ調和された空気を供給する空調機と、前記全熱交換装置における熱交換モードとバイパスモードとの切り替えと前記空調機における運転モードの切り替えとを連携して制御する空調制御装置とを備えた空調制御システムに適用される空調制御方法であって、
前記制御対象空間の温度を室内温度として検出する室内温度検出ステップと、
前記全熱交換装置に入力される前の外気の温度を外気温度として検出する外気温度検出ステップと、
前記室内温度に対して定められた冷房時の温度設定値を冷房設定温度として記憶する冷房設定温度記憶ステップと、
前記外気温度が前記室内温度よりも低く、前記外気温度と前記室内温度との温度差が予め定められている最低温度差以上となった場合、前記全熱交換装置のモードを熱交換モードからバイパスモードに切り替える全熱交換装置モード切替ステップと、
前記全熱交換装置のモードがバイパスモードに切り替えられている時、前記室内温度と前記冷房設定温度との差を室内温度差として求め、この室内温度差が許容温度差として定められている設定値緩和幅内にある場合には前記空調機の運転モードを送風モードとし、前記室内温度が前記冷房設定温度よりも高く前記室内温度差が前記設定値緩和幅を外れている場合には前記空調機の運転モードを冷房モードとする空調機運転モード切替ステップと
を備えることを特徴とする空調制御方法。
【請求項７】
請求項６に記載された空調制御方法において、
前記全熱交換装置モード切替ステップは、
前記全熱交換装置のモードをバイパスモードに切り替えた後、前記外気温度と前記室内温度との温度差が前記最低温度差から第１の固定値を差し引いた温度差以下となった場合に、前記全熱交換装置のモードを熱交換モードに切り替える
ことを特徴とする空調制御方法。
【請求項８】
請求項６に記載された空調制御方法において、
前記全熱交換装置モード切替ステップは、
前記全熱交換装置のモードをバイパスモードに切り替えた後、前記外気温度が予め定められている最低外気温度以下となった場合に、前記全熱交換装置のモードを熱交換モードに切り替える
ことを特徴とする空調制御方法。
【請求項９】
請求項８に記載された空調制御方法において、
前記全熱交換装置モード切替ステップは、
前記全熱交換装置のモードを熱交換モードに切り替えた後、前記外気温度が前記最低外気温度に第２の固定値を足し合わせた温度以上となった場合に、前記全熱交換装置のモードをバイパスモードに切り替える
ことを特徴とする空調制御方法。
【請求項１０】
請求項６に記載された空調制御方法において、
前記設定値緩和幅は、
前記冷房設定温度を基準として前記室内温度の上昇方向に定められた室温上限温度差と前記室内温度の下降方向に定められた室温下限温度差とで構成され、
前記空調機運転モード切替ステップは、
前記空調機の運転モードを冷房モードに切り替えた後、前記室内温度差が前記室温上限温度差から第３の固定値を差し引いた温度差以下となった場合に、前記空調機の運転モードを送風モードに切り替える
ことを特徴とする空調制御方法。
【発明の詳細な説明】
【技術分野】
【０００１】
本発明は、制御対象空間からの排気と外気との間で熱交換を行う全熱交換装置と、制御対象空間へ調和された空気を供給する空調機とを用いた空調制御システムおよび空調制御方法に関する。
【背景技術】
【０００２】
従来より、ビルなどの施設では、外気熱を取り入れることにより省エネルギー（以下、省エネと略す）性を高めた空調制御システムが用いられている。
【０００３】
この空調制御システムは、制御対象空間からの排気と外気との間で熱交換を行う全熱交換装置と、制御対象空間へ調和された空気を供給する空調機とを備え、冷房時には「より省エネ性を高めるため」に、外気の温度が低い場合には外気を冷房に利用している（例えば、特許文献１参照）。
【０００４】
図６に従来の空調制御システム２００の概略を示す。同図において、１は空調機、２は全熱交換装置、３は空調制御装置、４は制御対象空間、５は制御対象空間４の温度を室内温度ｔｒｐｖとして検出する室内温度センサ、６は全熱交換装置２に取り込まれる前の外気ＯＡの温度を外気温度ｔｏｕｔとして検出する外気温度センサ、７は冷房を行う場合の室内温度の設定値を冷房設定温度ｔｒｓｐとして設定する室内温度設定器である。
【０００５】
この空調制御システム２００において、全熱交換装置２は、全熱交換器（ＨＥＸ）を備えており、制御対象空間４からの排気ＥＸＡとの間で熱交換された外気ＯＡを出力する熱交換モードと、制御対象空間４からの排気ＥＸＡとの間で熱交換を行わずにそのまま外気ＯＡを出力するバイパスモードとを備えている。この例において、全熱交換装置２は、自動運転機能により、外気温度ｔｏｕｔが低い場合、全熱交換装置２のモードを熱交換モードからバイパスモードに切り替える。
【０００６】
空調機１は、制御対象空間４からの還気ＲＡと全熱交換装置２からの外気ＯＡとを入力とし、制御対象空間４へ調和された空気（調和空気）ＳＡを供給する。すなわち、室内温度ｔｒｐｖと冷房設定温度ｔｒｓｐとが一致するように、空調機１からの制御対象空間４への調和空気ＳＡの温度や送風量が空調制御装置３によって調整される。
【先行技術文献】
【特許文献】
【０００７】
【特許文献１】特開２００４−１３２６６９号公報
【発明の概要】
【発明が解決しようとする課題】
【０００８】
しかしながら、この空調制御システム２００では、全熱交換装置２と空調機１とが個別に動作しており、連携が不十分であるという問題があった。
【０００９】
すなわち、全熱交換装置２は、自動運転機能により、熱交換モードとバイパスモードとの間でモードを切り替えて動作する。空調機１は、全熱交換装置２の切り替え状態（熱交換モード、バイパスモード）によらず、室内温度ｔｒｐｖと冷房設定温度ｔｒｓｐとが一致するように運転される。このため、冷たい外気を取り込んでいるにも拘わらず、空調機１が冷房モードでの運転を続け、エネルギーが無駄に使われてしまう可能性があった。
【００１０】
本発明は、このような課題を解決するためになされたもので、その目的とするところは、全熱交換装置におけるモード（熱交換モード／バイパスモード）の切り替えと空調機における運転モード（冷房モード／送風モード）の切り替えとを連携させて、より大きな省エネ効果を得ることができる空調制御システムおよび空調制御方法を提供することにある。
【課題を解決するための手段】
【００１１】
このような目的を達成するために本発明は、制御対象空間からの排気との間で熱交換された外気を出力する熱交換モードと、制御対象空間からの排気との間で熱交換を行わずにそのまま外気を出力するバイパスモードとを備えた全熱交換装置と、制御対象空間からの還気と全熱交換装置からの外気とを入力とし、制御対象空間へ調和された空気を供給する空調機と、全熱交換装置における熱交換モードとバイパスモードとの切り替えと空調機における運転モードの切り替えとを連携して制御する空調制御装置とを備えた空調制御システムであって、制御対象空間の温度を室内温度として検出する室内温度検出手段と、全熱交換装置に入力される前の外気の温度を外気温度として検出する外気温度検出手段とを備え、空調制御装置は、室内温度に対して定められた冷房時の温度設定値を冷房設定温度として記憶する冷房設定温度記憶手段と、外気温度が室内温度よりも低く、外気温度と室内温度との温度差が予め定められている最低温度差以上となった場合、全熱交換装置のモードを熱交換モードからバイパスモードに切り替える全熱交換装置モード切替手段と、全熱交換装置のモードがバイパスモードに切り替えられている時、室内温度と冷房設定温度との差を室内温度差として求め、この室内温度差が許容温度差として定められている設定値緩和幅内にある場合には空調機の運転モードを送風モードとし、室内温度が冷房設定温度よりも高く室内温度差が設定値緩和幅を外れている場合には空調機の運転モードを冷房モードとする空調機運転モード切替手段とを備えることを特徴とする。
【００１２】
この発明において、空調制御装置は、外気温度が室内温度よりも低く、外気温度と室内温度との温度差が最低温度差以上となった場合、全熱交換装置のモードを熱交換モードからバイパスモードに切り替える。このとき、空調制御装置は、室内温度と冷房設定温度との差を室内温度差として求め、この室内温度差が設定値緩和幅内にある場合には空調機の運転モードを送風モードとし、室内温度が冷房設定温度よりも高く室内温度差が設定値緩和幅を外れている場合には空調機の運転モードを冷房モードとする。これにより、外気温度が低下し、全熱交換装置がバイパスモードに切り替えられた時、室内温度差が設定値緩和幅内にあれば空調機の運転モードが送風モードとされ、空調機の無駄な運転が避けられる。
【発明の効果】
【００１３】
本発明によれば、外気温度が室内温度よりも低く、外気温度と室内温度との温度差が最低温度差以上となった場合、全熱交換装置のモードを熱交換モードからバイパスモードに切り替えるようにし、全熱交換装置のモードがバイパスモードに切り替えられている時、室内温度と冷房設定温度との差を室内温度差として求め、この室内温度差が設定値緩和幅内にある場合には空調機の運転モードを送風モードとし、室内温度が冷房設定温度よりも高く室内温度差が設定値緩和幅を外れている場合には空調機の運転モードを冷房モードとするようにしたので、外気温度が低下し、全熱交換装置がバイパスモードに切り替えられた時、室内温度差が設定値緩和幅内にあれば空調機の運転モードが送風モードとされる。これにより、空調機の無駄な運転が避けられ、より大きな省エネ効果を得ることができるようになる。
【図面の簡単な説明】
【００１４】
【図１】図１は、本発明の実施の形態に係る空調制御システムの要部を示す図である。
【図２】図２は、この空調制御システムにおける空調制御装置の機能ブロック図である。
【図３】図３は、この空調制御装置における全熱交換装置モード切替部の機能をより詳細に説明する図である。
【図４】図４は、この空調制御装置における空調機運転モード切替部の機能をより詳細に説明する図である。
【図５】図５は、この空調制御システムにおける外気送風運転状態の遷移図である。
【図６】図６は、従来の空調制御システムの概略を示す図である。
【発明を実施するための形態】
【００１５】
以下、本発明の実施の形態を図面に基づいて詳細に説明する。図１は本発明の実施の形態に係る空調制御システム１００の要部を示す図である。同図において、図６と同一符号は図６を参照して説明した構成要素と同一或いは同等構成要素を示し、その説明は省略する。
【００１６】
この空調制御システム１００において、空調制御装置３は、プロセッサや記憶装置からなるハードウェアと、これらのハードウェアと協働して各種機能を実現させるプログラムとによって実現され、本実施の形態特有の機能として、全熱交換装置２における熱交換モードとバイパスモードとの切り替えと空調機１における運転モードの切り替えとを連携して制御する機能を有している。
【００１７】
以下、図６に示した従来の空調制御システム２００における空調制御装置３と区別するために、本実施の形態の空調制御システム１００における空調制御装置３を符号３Ａで示し、従来の空調制御システム２００における空調制御装置３を符号３Ｂで示す。
【００１８】
また、本実施の形態の空調制御システム１００において、全熱交換装置２は自動運転機能は備えておらず、空調制御装置３Ａからの指令を受けて熱交換モードとバイパスモードとの切り替えを行う。
【００１９】
全熱交換装置２についても、従来の空調制御システム２００における全熱交換装置２と区別するために、本実施の形態の空調制御システム１００における全熱交換装置２を符号２Ａで示し、従来の空調制御システム２００における全熱交換装置２を符号２Ｂで示す。
【００２０】
図２に空調制御装置３Ａの機能ブロック図を示す。空調制御装置３Ａは、冷房設定温度ｔｒｓｐを記憶する冷房設定温度記憶部３１と、室内温度センサ５からの室内温度ｔｒｐｖと外気温度センサ６からの外気温度ｔｏｕｔを入力とし、この室内温度ｔｒｐｖと外気温度ｔｏｕｔとの温度差Δｔ１（Δｔ１＝ｔｒｐｖ−ｔｏｕｔ）に基づいて全熱交換装置２Ａのモードを切り替える全熱交換装置モード切替部３２と、全熱交換装置２Ａがバイパスモードに切り替えられている時、室内温度センサ５からの室内温度ｔｒｐｖと冷房設定温度記憶部３１に記憶されている冷房設定温度ｔｒｓｐとの差を室内温度差Δｔ２（Δｔ２＝ｔｒｐｖ−ｔｒｓｐ）として求め、この室内温度差Δｔ２に基づいて空調機１の運転モードを切り替える空調機運転モード切替部３３とを備えている。
【００２１】
なお、この空調制御システム１００において、室内温度センサ５が本発明でいう室内温度検出手段に相当し、外気温度センサ６が本発明でいう外気温度検出手段に相当する。また、冷房設定温度記憶部３１が本発明でいう冷房設定温度記憶手段に相当し、全熱交換装置モード切替部３２が全熱交換装置モード切替手段に相当し、空調機運転モード切替部３３が空調機運転モード切替手段に相当する。
【００２２】
〔全熱交換装置モード切替部〕
図３を用いて、全熱交換装置モード切替部３２の機能について、より詳細に説明する。全熱交換装置モード切替部３２は、外気温度ｔｏｕｔが室内温度ｔｒｐｖよりも低く、外気温度ｔｏｕｔと室内温度ｔｒｐｖとの温度差Δｔ１（Δｔ１＝ｔｒｐｖ−ｔｏｕｔ）が予め定められている最低温度差α以上となった場合（図３に示すｔ１点）、全熱交換装置２Ａのモードを熱交換モードからバイパスモードに切り替える機能を有している。
【００２３】
また、全熱交換装置モード切替部３２は、全熱交換装置２Ａのモードをバイパスモードに切り替えた後、外気温度ｔｏｕｔと室内温度ｔｒｐｖとの温度差Δｔ１が最低温度差αから不感帯（最低温度差不感帯）として定められた固定値（第１の固定値）γ１を差し引いた温度差α’以下となった場合に（図３に示すｔ２点）、全熱交換装置２Ａのモードを熱交換モードに切り替える機能を有している。
【００２４】
また、全熱交換装置モード切替部３２は、全熱交換装置２Ａのモードをバイパスモードに切り替えた後、外気温度ｔｏｕｔが予め定められている最低外気温度ｔｏｕｔL以下となった場合に（図３に示すｔ３点）、全熱交換装置２Ａのモードを熱交換モードに切り替える機能を有している。
【００２５】
また、全熱交換装置モード切替部３２は、全熱交換装置２Ａのモードを熱交換モードに切り替えた後、外気温度ｔｏｕｔが最低外気温度ｔｏｕｔLに不感帯（最低外気温度不感帯）として定められた第２の固定値γ２を足し合わせた温度以上となった場合に（図３に示すｔ４点）、全熱交換装置２Ａのモードをバイパスモードに切り替える機能を有している。
【００２６】
下記に、全熱交換装置モード切替部３２における室内温度ｔｒｐｖと外気温度ｔｏｕｔと全熱交換装置２Ａのモードとの関係を示す。
【００２７】
(１)前回「熱交換モード」の時
（室内温度（ｔｒｐｖ）−外気温度（ｔｏｕｔ））≧最低温度差（α）かつ外気温度（ｔｏｕｔ）≧（最低外気温度（ｔｏｕｔL）＋不感帯（γ２））⇒バイパスモードとする。
【００２８】
(２)前回「バイパスモード」の時
（室内温度（ｔｒｐｖ）−外気温度（ｔｏｕｔ））≦（最低温度差（α）−不感帯（γ１））または外気温度（ｔｏｕｔ）≦最低外気温度（ｔｏｕｔL）⇒熱交換モードとする。
【００２９】
（３）前回「不定」（初期値は「不定」）の時
（室内温度（ｔｒｐｖ）−外気温度（ｔｏｕｔ））≦（最低温度差（α）かつ外気温度（ｔｏｕｔ）≧（最低外気温度（ｔｏｕｔL）＋不感帯（γ２））⇒バイパスモードとする。
【００３０】
（４）（１）〜（３）以外の時
⇒熱交換モードとする。
【００３１】
〔空調機運転モード切替部〕
図４を用いて、空調機運転モード切替部３３の機能について、より詳細に説明する。空調機運転モード切替部３３は、全熱交換装置２Ａのモードがバイパスモードに切り替えられている時、室内温度ｔｒｐｖと冷房設定温度ｔｒｓｐとの差を室内温度差Δｔ２（Δｔ２＝ｔｒｐｖ−ｔｒｓｐ）として求め、この室内温度差Δｔ２が許容温度差として定められている設定値緩和幅ΔＴ（室温上限温度差ΔＴ１＋室温下限温度差ΔＴ２）内にある場合には空調機１の運転モードを送風モードとし、室内温度ｔｒｐｖが冷房設定温度ｔｒｓｐよりも高く室内温度差Δｔ２が設定値緩和幅ΔＴを外れている場合には空調機１の運転モードを冷房モードとする機能を有している。
【００３２】
また、空調機運転モード切替部３３は、空調機１の運転モードを冷房モードに切り替えた後（図４に示すｔ１点）、室内温度差Δｔ２が室温上限温度差ΔＴ１から不感帯（室温上限温度差不感帯）として定められた固定値（第３の固定値）γ３を差し引いた温度差ΔＴ１’(ΔＴ１’＝ΔＴ１−γ３)以下となった場合（図４に示すｔ２点）、空調機１の運転モードを送風モードに切り替える機能を有している。
【００３３】
なお、設定値緩和幅ΔＴにおいて、室温上限度差ΔＴ１は、冷房設定温度ｔｒｓｐを基準として室内温度ｔｒｐｖの上昇方向に定められた許容温度差であり、室温下限温度差ΔＴ２は、冷房設定温度ｔｒｓｐを基準として室内温度ｔｒｐｖの下降方向に定められた許容温度差である。
【００３４】
また、本実施の形態において、空調機１は、室内機と室外機とから構成されており、空調機１を送風モードとする場合には、室外機のみを停止させる。すなわち、室内機は起動させたまま、室外機のみを停止（サーモオフ）させる。
【００３５】
下記に、空調機運転モード切替部３３における室内温度ｔｒｐｖと冷房設定温度ｔｒｓｐと空調機１の運転モードとの関係を示す。
【００３６】
(１)前回「送風モード」「室内機起動」の時
（室内温度（ｔｒｐｖ）−冷房設定温度（ｔｒｓｐ））＞室温上限温度差（ΔＴ１）⇒「室内機起動」のまま「送風モード」を解除し、「冷房モード」とする。
(２)前回「冷房モード」「室内機起動」の時
（室内温度（ｔｒｐｖ）−冷房設定温度（ｔｒｓｐ））≦（室温上限温度差（ΔＴ１−不感帯（γ３））⇒「室内機起動」のまま「送風モード」へ強制移行する。
【００３７】
以上の説明から分かるように、本実施の形態の空調制御システム１００において、空調制御装置３Ａは、外気温度ｔｏｕｔが室内温度ｔｒｐｖよりも低く、外気温度ｔｏｕｔと室内温度ｔｒｐｖとの温度差Δｔ１が最低温度差α以上となった場合、全熱交換装置２Ａのモードを熱交換モードからバイパスモードに切り替える。
【００３８】
このとき、空調制御装置３Ａは、室内温度ｔｒｐｖと冷房設定温度ｔｒｓｐとの差を室内温度差Δｔ２として求め、この室内温度差Δｔ２が設定値緩和幅ΔＴ内にある場合には空調機１の運転モードを送風モードとし、室内温度ｔｒｐｖが冷房設定温度ｔｒｓｐよりも高く室内温度差Δｔ２が設定値緩和幅ΔＴを外れている場合（Δｔ２＞ΔＴ１）には空調機１の運転モードを冷房モードとする。
【００３９】
これにより、外気温度ｔｏｕｔが低下し、全熱交換装置２Ａがバイパスモードに切り替えられた時、室内温度差Δｔ２が設定値緩和幅ΔＴ内にあれば空調機１の運転モードが送風モードとされ、空調機１の無駄な運転が避けられる。すなわち、全熱交換装置２Ａをバイパスモードとしての外気冷房時、空調機１を送風運転として、より大きな省エネ効果を得ることができるようになる。
【００４０】
なお、図２には示していないが、空調制御装置３Ａは、空調機１の運転モードを送風モードとした場合、室内温度ｔｒｐｖと冷房設定温度ｔｒｓｐとが一致するように、空調機１の送風量を制御する機能も備えている。
【００４１】
また、空調制御装置３Ａは、全熱交換装置２Ａにおいてバイパスさせる外気の風量を（場合により）増加させる機能も備えている。なお、実際には、外気導入量が少ないため外気冷房効果は期待できず、送風／冷房の切替運転となる可能性が大であるが、サーモオフによる省エネ効果を高めることはできる。
【００４２】
図５にこの空調制御システム１００における外気送風運転状態の遷移図を示す。初期実行時は、実施対象外であり（＃１）、外気温度ｔｏｕｔと室内温度ｔｒｐｖとの温度差Δｔ１が最低温度差α以上となると、全熱交換装置２Ａがバイパスモードとされ、実施対象内に入る（矢印(１)）。
【００４３】
実施対象内に入ると、室内温度ｔｒｐｖと冷房設定温度ｔｒｓｐとの差（室内温度差）Δｔ２が設定値緩和幅ΔＴ内であるか否かがチェックされ(＃２)、室内温度差Δｔ２が設定値緩和幅ΔＴ内であれば(矢印(２))、空調機１の運転モードが送風モードとされる(＃３)。室内温度差Δｔ２が室温上限温度差ΔＴ１を超えていれば（矢印(５)）、空調機１の運転モードが冷房モードとされる(＃４)。
【００４４】
送風モードでの空調機１の運転中、室内温度差Δｔ２が室温上限温度差ΔＴ１を超えると（矢印(３)）、空調機１の運転モードが冷房モードとされる(＃４)。この冷房モードでの空調機１の運転中、室内温度差Δｔ２がΔＴ１’以下となると、（矢印（２））、空調機１の運転モードが送風モードに戻される(＃３)。
【００４５】
送風モードでの空調機１の運転中、室内温度差Δｔ２が室温下限温度差ΔＴ２を超えると(矢印（６）)、実施対象外となる（＃１）。また、外気温度ｔｏｕｔが最低外気温度ｔｏｕｔL以下となったり、外気温度ｔｏｕｔと室内温度ｔｒｐｖとの温度差Δｔ１がα’以下となったような場合などにも(矢印（７）)、実施対象外となる（＃１）。
【００４６】
なお、上述した実施の形態では、動作を安定させるために、熱交換モードとバイパスモードとの切り替えに際して固定値γ１，γ２を不感帯として設けるようにしたが、また送風モードと冷房モードとの切り替えに際して固定値γ３を不感帯として設けるようにしたが、必ずしもこのような不感帯を設けるようにしなくてもよい。
【００４７】
〔実施の形態の拡張〕
以上、実施の形態を参照して本発明を説明したが、本発明は上記の実施の形態に限定されるものではない。本発明の構成や詳細には、本発明の技術思想の範囲内で当業者が理解し得る様々な変更をすることができる。
【産業上の利用可能性】
【００４８】
本発明は、ビルなどの施設において利用することが可能である。
【符号の説明】
【００４９】
１…空調機、２Ａ…全熱交換装置、３Ａ…空調制御装置、４…制御対象空間、５…室内温度センサ、６…外気温度センサ、７…室内温度設定器、３１…冷房設定温度記憶部、３２…全熱交換装置モード切替部、３３…空調機運転モード切替部、１００…空調制御システム。
【図１】
2017142003.tif 000003
【図２】
2017142003.tif 000004
【図３】
2017142003.tif 000005
【図４】
2017142003.tif 000006
【図５】
2017142003.tif 000007
【図６】
2017142003.tif 000008